(57)【要約】【課題】電子機器のキャビネットに、合成皮革を柔らかい触感を保つように接着する。【解決手段】合成皮革本体３０と、成形面３２ａに革しぼ模様の凹凸が施された成形型３１とを用意する。合成皮革本体３０を凹凸が施された成形面３２ａに当接するように成形型３１に取り付ける。合成皮革本体３０の裏側に圧力をかけながら溶融樹脂を流し込んでインサート射出成形し、合成皮革本体３０の表面に革しぼ模様を施す。【選択図】図８
2007176101.tif 000002
【特許請求の範囲】
【請求項１】
電子機器のキャビネットをインサート成形する方法において、
合成皮革と、成形面に革しぼ模様の凹凸が施された成形型とを用意し、
上記合成皮革を上記凹凸が施された成形面に当接するように上記成形型に取り付け、
上記合成皮革の裏側に圧力をかけながら溶融樹脂を流し込んでインサート射出成形し、
上記合成皮革の表面に革しぼ模様を施すことを特徴とする電子機器のキャビネットのインサート成形方法。
【請求項２】
請求項１に記載の電子機器のキャビネットのインサート成形方法において、
上記合成皮革は、表面側のウレタン層と、裏面側の不織布層とで構成されていることを特徴とする電子機器のキャビネットのインサート成形方法。
【請求項３】
上記電子機器は、携帯通信機器であることを特徴とする請求項１又は２に記載の電子機器のキャビネットのインサート成形方法。
【請求項４】
上記携帯通信機器は、携帯電話機であることを特徴とする請求項３に記載の電子機器のキャビネットのインサート成形方法。
【発明の詳細な説明】
【技術分野】
【０００１】
本発明は、携帯通信機器等の電子機器のキャビネットをインサート成形する方法に関する。
【背景技術】
【０００２】
従来より、携帯通信機器、特に携帯電話機は、低年齢層のみならず、高年齢層へも幅広く普及が進んでいる。そして、各メーカは、色々な新しい機能を搭載することは勿論、製品の外観へも新しい工夫を凝らしている。外観の色調もグレイ、白、シルバーに始まり、鮮やかな赤、オレンジ、青、黄等と、各社独特の色調が誕生している。そして、今や合成皮革を貼り付けた製品も誕生しつつある。合成皮革を貼り付けた製品は、一般にキャビネットの成形時にインサート成形によって形作られる。これは、キャビネット成形時に合成皮革を予め金型に取り付けて溶融樹脂を流し、同時に成形されている。
【０００３】
特許文献１は、では、加飾シートと合成樹脂とのインサート成形方法において、金型の加飾シートのコーナー部分であって絞られる部分と対応する部分に凹部、凸部又は凸条を形成するものが開示されている。このことで、曲面を持つキャビネットに合成皮革をインサート成形する場合におけるコーナー部の皺の発生を防止している。
【特許文献１】特開平９−１３１７５５号公報
【発明の開示】
【発明が解決しようとする課題】
【０００４】
しかしながら、特許文献１のインサート成形方法によっても、加飾シートとして皮革の触感を持たせるために凹凸のある革しぼ模様のあるものを用いると、インサート射出成形の際に革しぼが成形圧力で潰れてしまい、触感が硬いものとなるという問題がある。
【０００５】
上述した問題点に鑑み、本発明は、電子機器のキャビネットに、合成皮革を柔らかい触感を保つように接着することを目的とする。
【課題を解決するための手段】
【０００６】
上記目的を達成するために、本発明では、射出成形時に合成皮革の表面に革しぼ模様を施すようにした。
【０００７】
具体的には、第１の発明では、電子機器のキャビネットをインサート成形する方法を前提とする。
【０００８】
そして、合成皮革と、成形面に革しぼ模様の凹凸が施された成形型とを用意し、
上記合成皮革を上記凹凸が施された成形面に当接するように上記成形型に取り付け、
上記合成皮革の裏側に圧力をかけながら溶融樹脂を流し込んでインサート射出成形し、
上記合成皮革の表面に革しぼ模様を施す構成とする。
【０００９】
上記の構成によると、合成皮革を凹凸が施された成形面に当接するように成形型に取り付け、圧力をかけながらインサート射出成形して表面に革しぼ模様を施しているので、予め合成皮革に革しぼ模様が施されたものをインサート射出成形する場合に比べて、成形時に合成皮革の表面が成形圧力によって潰れにくく、皮革製カバーの柔らかい触感が維持される。
【００１０】
第２の発明では、上記合成皮革は、表面側の革しぼが施されたウレタン層と、裏面側の不織布層とで構成されている。
【００１１】
上記の構成によると、不織布層により、ソフトな触感が実現され、ウレタン層を加工することにより、皮革の表面に似せた革しぼが成形可能となる。また、ウレタンは、皮革に比べ、水、湿気や汚れに強いため手入れが容易で、かつ様々な色彩を実現できる。
【００１２】
第３の発明では、上記電子機器は、携帯通信機器とする。
【００１３】
上記の構成によると、皮革製カバーにより、携帯通信機器は、見映えよく触感もよくなるので、携帯性、商品性等が優れている。
【００１４】
第４の発明では、上記携帯通信機器は、携帯電話機とする。
【００１５】
上記の構成によると、携帯電話機の外観及び触感が向上する。
【発明の効果】
【００１６】
上記説明したように、本発明によれば、合成皮革を革しぼ模様の凹凸が施された成形面に当接するように成形型に取り付け、合成皮革の裏側に圧力をかけながら溶融樹脂を流し込んでインサート射出成形し、合成皮革の表面に革しぼ模様を施している。このため、電子機器のキャビネットに柔らかい触感を保ちながら合成皮革を接着することができる。
【発明を実施するための最良の形態】
【００１７】
以下、本発明の実施形態について図に基づいて詳細に説明する。
【００１８】
図１は、本発明の実施形態に係る携帯電話機の閉じた状態を示す斜視図である。図２は、本発明の実施形態に係る携帯電話機の開いた状態を示す斜視図である。
【００１９】
図１及び図２に示すように、本実施形態の携帯電話機１は、第１の筐体２と第２の筐体３とを有し、これら第１の筐体２と第２の筐体３とが、ヒンジ部４によって回転可能に結合されている。第１の筐体２の内側（表面側）には、受話部５及び表示部６が設けられている。第１の筐体２の外側（裏側）には、時計表示や通信時の相手の名前を表示するためのサブ表示部７やスピーカ放音部８等が設けられている。第１の筐体２を覆うキャビネットは、表裏分割式となっていて、裏側を覆う裏側キャビネット２ａは、図７に示すように、樹脂製の基材２０と、この基材２０の外表面に貼り付けられた合成皮革製カバー９とを備えている。
【００２０】
上記第２の筐体３の内側には、各種機能の切替や決定をするための機能ボタン１１、情報を入力する入力ボタン１２、送話部１３等が設けられている。機能ボタン１１及び入力ボタン１２が操作部５０を構成している。第２の筐体３の外側には、カメラ部（図示しない）が設けられ、側面側には、充電端子部（図示せず）、音量ボタン１５、イヤホンマイク端子カバー１６、カード挿入部（図示しない）等が設置されている。
【００２１】
上記基材２０は、例えば、ＡＢＳ、ＡＳ、ＰＣ（ポリカーボネート）等で構成されている。
【００２２】
図３に示すように、上記合成皮革製カバー９を構成する合成皮革本体３０は、例えば、表面側の平面状ウレタン層４１と、裏面側の平面状不織布層４２とをローラーで押さえつけながら成形したものとなっている。ウレタン層４１には、皮革に似た触感を与える革しぼの凹凸が施されている。
【００２３】
上記合成皮革本体３０の不織布層４２側には、例えば、ＡＢＳ、ＡＳ、ＰＣ等で構成された薄いプラスチックシート２１が糊印刷２２で接着されている。プラスチックシート２１と基材２０とは、インサート射出成形時に糊印刷２２で接着されている。
【００２４】
なお、上記スピーカ放音部８は、成形時に裏側キャビネット２ａと一体に形成してもよいが、確実に放音孔を設けるには、樹脂製又は金属製の別部材で構成し、裏側キャビネット２ａの裏面側から嵌め込むのが望ましい。
【００２５】
図１に示すように、上記合成皮革製カバー９の外形の境界は、装飾用リング１０によって覆われ、この装飾用リング１０によって合成皮革製カバー９と基材２０との境界線が隠されている。
【００２６】
図７に示すように、サブ表示部７の表面は、透明カバー２６で覆われている。
【００２７】
−キャビネットのインサート成形方法−
次に、携帯電話機１の裏側キャビネット２ａのインサート成形方法について説明する。
【００２８】
図３乃至図６は、第１の筐体２の外観を覆う合成皮革製カバー９の製作の順序を示す図である。
【００２９】
まず、図３に示すように、平面状の合成皮革本体３０に糊印刷２２を行い、平面状のプラスチックシート２１を接着する。プラスチックシート２１の合成皮革本体３０と反対側にも糊印刷２２を接着する。この裏面の糊印刷２２は、インサート射出成形時に基材２０との接着に利用される。裏面の糊印刷２２の表面をセパレーター（図示せず）で覆う。このようにして平面状の合成皮革製カバー９を予め成形しておく。
【００３０】
次いで、図４及び図５に示すように、図３の平面状の合成皮革製カバー９をプレス成形機（図示せず）で温度をかけながら、第１の筐体２の曲面形状となるように凹凸を設ける。なお、裏面の糊印刷２２の表面をセパレーターで覆っているので、プレス成形型に合成皮革製カバー９が貼り付くことはない。このとき、サブ表示部７に対応する位置にサブ表示部用凹部１８を凹陥し、スピーカ放音部８に対応する位置にスピーカ部用凹部１９を凹陥する（Ｘ−Ｘ線断面図参照）。また、コーナー部２３も同時に成形する。このコーナー部２３の成形においては、合成皮革本体３０のみをプレス成形した場合には、プレス成形機から取り外した後は、殆ど平面近くまで復元してしまい、プレス成形した効果が小さくなってしまうが、プラスチックシート２１を一緒にプレス成形することにより、プレス成形型の形のまま保持される。さらに温度を加えてプラスチックシート２１を軟化させながら成形しているので、皺が伸び、外観から目立たなくなる。
【００３１】
次に、図６に示すように、図５の曲面状の合成皮革製カバー９を、第１の筐体２の形状の外形にカットし、かつ必要な孔抜きをする。ここで、スピーカ放音部８及びサブ表示部７の孔抜きにおいては、サブ表示部用凹部１８及びスピーカ部用凹部１９の凹部側面よりも内側で凹部に沿って孔抜きをする。このため、その切断面が下側に曲がるように孔抜きされるようにして、サブ表示部孔２４及びスピーカ部孔２５が形成される（Ｙ−Ｙ線断面図参照）。このことで、孔周辺の切断面は、合成皮革本体３０で覆われているため、見映えがよい。
【００３２】
次いで、図８に示すように、射出成形型３１を用意する。この成形型３１の下型３２の成形面３２ａには、革しぼ模様の凹凸が施されている。図５の合成皮革製カバー９のセパレーターをはがし、射出成形型３１の下型３２に合成皮革本体３０側が当接するように取り付ける。この下型３２への合成皮革製カバー９の取付は、サブ表示部孔２４及びスピーカ部孔２５で位置決めされる。
【００３３】
そして、上型３３を型閉じし、キャビティ３４を形成する。このキャビティ３４に溶融樹脂に所定の圧力を加えながら流し込み、インサート射出成形する。このとき、射出成形の圧力により、ウレタン層４１の表面に革しぼ模様を施す。
【００３４】
これにより、図７に示す第１の筐体２の裏側キャビネット２ａが完成する（Ｚ−Ｚ線断面図参照）。
【００３５】
−実施形態の効果−
したがって、本実施形態に係る電子機器のキャビネットをインサート成形する方法によると、合成皮革本体３０を革しぼ模様の凹凸が施された成形面３２ａに当接するように成形型３１に取り付け、合成皮革本体３０の裏側に圧力をかけながら溶融樹脂を流し込んでインサート射出成形し、合成皮革本体３０の表面に革しぼ模様を施している。このため、携帯電話機１の裏側キャビネット２ａに柔らかい触感を保ちながら合成皮革製カバー９を接着することができる。
【００３６】
（その他の実施形態）
本発明は、上記実施形態について、以下のような構成としてもよい。
【００３７】
すなわち、上記実施形態では、折畳み式携帯電話について、ＰＨＳ、ＰＤＡなどの携帯通信機器でもよい。また、折畳み式に限らず、ストレートタイプの携帯通信機器であってもよい。
【００３８】
上記実施形態では、射出成形により裏側キャビネット２ａを成形したが、コンプレッション成形によって裏側キャビネット２ａを成形してもよい。
【００３９】
なお、以上の実施形態は、本質的に好ましい例示であって、本発明、その適用物や用途の範囲を制限することを意図するものではない。
【産業上の利用可能性】
【００４０】
以上説明したように、本発明は、携帯電話機などの電子機器の合成皮革製カバーによって覆われたキャビネットの成形方法について有用である。
【図面の簡単な説明】
【００４１】
【図１】本発明の実施形態に係る携帯電話機の閉じた状態を示す斜視図である。
【図２】本発明の実施形態に係る携帯電話機の開いた状態を示す斜視図である。
【図３】（ｂ）が合成皮革製カバーの製作順序における合成皮革本体とプラスチックシートを糊印刷にて接着した状態を示す平面図で、（ａ）がそのＸ−Ｘ線断面図である。
【図４】（ｂ）が合成皮革製カバーの製作順序におけるプレス成形機にて成形した状態を示す平面図で、（ａ）がその断面図を示す図である。
【図５】プレス成形機にて成形した合成皮革製カバーを示す斜視図である。
【図６】（ｂ）が合成皮革製カバーの製作順序における外形カット及び孔抜きをした状態を示す平面図で、（ａ）がそのＹ−Ｙ線断面図である。
【図７】（ｂ）が合成皮革製カバーの製作順序における合成皮革製カバーをインサート成形した状態を示す平面図で、（ａ）がそのＺ−Ｚ線断面図である。
【図８】射出成形型で溶融樹脂を流し込んで裏側キャビネットを成形する様子を示す断面図である。
【符号の説明】
【００４２】
１       携帯電話機（電子機器、携帯通信機器）
２ａ    裏側キャビネット（キャビネット）
９      合成皮革製カバー（皮革製カバー）
１０      装飾用リング
２０      基材（樹脂基材）
２１      プラスチックシート
３０      合成皮革本体（合成皮革）
３１      成形型
３２ａ     成形面
４１      ウレタン層
４２      不織布層
【図１】
2007176101.tif 000003
【図２】
2007176101.tif 000004
【図３】
2007176101.tif 000005
【図４】
2007176101.tif 000006
【図５】
2007176101.tif 000007
【図６】
2007176101.tif 000008
【図７】
2007176101.tif 000009
【図８】
2007176101.tif 000010